(57)【要約】【課題】アルコールストーブ等の燃焼装置や固形燃料の使用で十分な加熱効率が得られるよう想定した燃焼物から加熱対象の載置面までの距離の確保と、小枝や松かさなどの燃焼物を煙突効果により効率よく燃焼させて加熱対象を加熱することができる、燃焼室の高さの確保、以上の２つの要求を満たす分解可能で軽量コンパクトな携帯用ゴトクを提供することである。【解決手段】長方形状の板材の一方の長辺と短辺に連結係止部、もう一方の長辺と短辺に連結係合部を設け、隣り合う一方の板材の長辺の連結係止部と他方の板材の長辺の連結係合部とを連続的に嵌合し、長辺の長さを高さとした多角形筒状構造の燃焼室を形成することができ、かつ、隣り合う一方の板材の短辺の連結係止部と他方の板材の短辺の連結係合部とを連続的に嵌合し、短辺の長さを高さとした多角形筒状構造の燃焼室も形成することができる折りたたみ式のゴトク。【選択図】図１
2018179345.tif 000002
【特許請求の範囲】
【請求項１】
互いに同じ諸元を有している３枚以上の長方形状の板材からなり、これらの板材を長辺を高さとする多角形筒と、短辺を高さとする多角形筒の２方向に組立てることにより、２つの異なる形状の燃焼室を形成することができるゴトク。
【請求項２】
各板材は長辺もしくは短辺方向のうち、少なくとも一つの方向には、複数列の嵌合可能なスリット穴からなる連結係合部を設けている、上記請求項１に記載のゴトク。
【請求項３】
各板材は短辺方向に同じ位置に配置された２つ以上の短辺連結係止部および短辺連結係合部の配置間隔と、長辺方向に同じ位置に等間隔に配置された３つ以上の長辺連結係止部および長辺連結係合部の配置間隔が同等の寸法を有して設けられている上記請求項１に記載のゴトク。
【発明の詳細な説明】
【技術分野】
【０００１】
本発明は登山やキャンプなど野外活動で調理などをする際に使用するゴトク、携帯コンロ、防風版に関するものである。
【背景技術】
【０００２】
一般的な携帯用ゴトクで一般的なものは、複数の金属板を嵌合もしくは丁番などで接合し、組立、分解可能な多角形状の筒状の燃焼室を形成したものであり、適度な防風と燃焼のための吸排気ができるような構造を有した燃焼室内部に小枝や落ち葉、松かさなど、もしくはアルコールストーブなどの燃焼装置、液体燃料や固形燃料を入れ、燃焼させる。燃焼室の上部に加熱対象物を載置し、これを加熱するものである。
例えば、液体燃料を想定したコンパクトに収納できるゴトクとしては、板を用途に合わせて複数枚組み合わせるゴトクが開示されている。（特許文献１参照）
また、小枝や松かさなどを燃焼物として想定しているとものして、角錐型の防風筒を備えた野外用携帯こんろもが開示されている。（特許文献２参照）
【先行技術文献】
【特許文献】
【０００３】
【特許文献１】特開平１１−２２６１５０
【特許文献２】特開平１０−１２７４９８
【発明の概要】
【発明が解決しようとする課題】
【０００４】
特許文献１のゴトクは、燃焼対象をメタノール燃料に限っているため、燃焼物から載置面までのゴトクの高さはメタノール燃料の燃焼で加熱対象物の加熱効率が最適になるように設定されている。このため、他の燃焼物を燃焼対象とした場合には、十分な加熱が行えない可能性があるという問題点がある。
特許文献２の野外用携帯こんろは、風受板で風を受けることができる場合には燃焼効率が高いが、無風の場合、燃焼効率が低く、煙突効果を得るためには、風防筒を高くする必要があり、重量が重くなるという問題点がある。また、その場合において、仮に内部にアルコールストーブを載置できたとしても、アルコールストーブなどの燃焼装置から加熱対象の載置面までの距離が大きくなり、十分な加熱が行えない可能性がある。
そこで、本発明の目的は、アルコールストーブ等の燃焼装置や固形燃料の使用で十分な加熱効率が得られるよう想定した燃焼物から加熱対象の載置面までの距離の確保と、小枝や松かさなどの燃焼物を無風状態においても煙突効果により効率よく燃焼させて加熱対象を加熱することができる、燃焼室の高さの確保、以上の２つの要求を満たす分解可能で軽量コンパクトな携帯用ゴトクを提供することである。
【課題を解決するための手段】
【０００５】
上記の目的を達成するために、請求項１に記載の発明は、互いに同じ諸元を有している３枚以上の長方形状の板材からなり、これらの板材を長辺を高さとする多角形筒と、短辺を高さとする多角形筒の２方向に組立てることにより、２つの異なる形状の燃焼室を形成することができるゴトクを提供する。
請求項２に記載のゴトクは、各板材は長辺もしくは短辺方向のうち、少なくとも一つの方向には、複数列の嵌合可能なスリット穴からなる連結係合部を設けている、上記請求項１に記載のゴトクである。
請求項３に記載のゴトクは、各板材は短辺方向に同じ位置に配置された２つ以上の短辺連結係止部および短辺連結係合部の配置間隔と、長辺方向に同じ位置に等間隔に配置された３つ以上の長辺連結係止部および長辺連結係合部の配置間隔が同等の寸法を有して設けられている上記請求項１に記載のゴトクである。
【発明の効果】
【０００６】
本発明のゴトクでは、３枚以上の長方形状の板材を２方向に組立てることにより、長辺を高さとする多角形筒と、短辺を高さとする多角形筒を形成可能である。このため、長辺を高さとした多角形筒の場合には煙突効果による効率的な燃焼と、短辺を高さとした多角形筒の場合にはアルコールストーブ等の燃焼装置や固形燃料の使用で十分な加熱効率が得られるような、燃焼物から加熱対象載置面までの距離となるゴトクを提供できる。
【図面の簡単な説明】
【０００７】
【図１】本発明の第１の実施形態に係る１つめの使用形態でのゴトク１を表す斜視図である。
【図２】本発明の第１の実施形態に係る２つめの使用形態でのゴトク１‘の斜視図である。
【図３】本発明の第１の実施形態に係るゴトク１およびゴトク１‘を形成する、長方形状の板材１aを示す図である。
【図４】本発明の第２の実施形態に係るゴトク２４を形成する、長方形状の板材の板材２４aを示す図である。
【図５】本発明の第２の実施形態に係るゴトク２４の使用形態を表す斜視図である。
【図６】本発明の第３の実施形態に係るゴトク２５を形成する、長方形状の板材２５aを示す図である。
【図７】本発明の第３の実施形態に係るゴトク２５の使用形態を表す斜視図である。
【発明を実施するための形態】
【０００８】
以下、この発明の実施形態を、図面を用いて説明する。
図１は、本発明の第１の実施形態に係る１つめの使用形態でのゴトク１を表す斜視図である。図１に示すように、１つ目の使用形態での組立状態にあるゴトク１は、風防２に囲まれて形成される三角形筒状の燃焼室５０の断面積に対し、三角形筒の高さが高い煙突状の形状を有しており、下部には設置の際にゴトクを支持する支持脚体４２を有し、上部には加熱調理容器などを載置する載置面４を有している。更に、風防２の下部に吸気口４３と、上部に排気口４４を有している。煙突状のゴトク１の燃焼室５０に小枝や松かさなどの燃焼物を入れて燃焼させ、載置面４に載置した加熱調理容器などを加熱する。
図２は本発明の第１の実施形態に係る２つめの使用形態でのゴトク１‘の斜視図である。ゴトク１’はゴトク１と同じ構成部品の組立方向を変えたもので、図２に示すように、ゴトク１‘はゴトク１と比較し、形成される三角形筒は断面積が大きく、高さは低い。１つ目の使用形態での組立状態のゴトク１と同様に支持脚体４５、載置面１１、吸気口４０と、排気口４１を有している。この三角形筒内部の燃焼室４６にはゴトク１では載置することができないような径の大きい、アルコールストーブなどの燃焼装置を入れてこれを燃焼させ、載置面１１に載置した加熱調理容器などを加熱することができる。
ゴトク１は、剛性を有する３枚の板材１ａ,１ｂ,１ｃを含む。３枚の板材１ａ,１ｂ,１ｃは互いに同じ諸元を有している。各板材１ａ,１ｂ,１ｃはステンレス等の鋼材料を用いて形成されてもいいし、チタンやチタン合金等の非鉄金属を用いて形成されてもよい。
板材１ａ,１ｂ,１ｃは、互いに着脱可能である。板材１ａ,１ｂ,１ｃを組み立てる際には、板材１ａ,１ｂ,１ｃの互いに隣り合う同じ長さの辺同士を揃え、これら同士を結合させることにより、これらを三角筒状に組み立てて、ゴトク１や１‘を構成できる。すなわち、ゴトク１ならびにゴトク１’は分解可能に設けられている。
図１及び図２に示すゴトク１、ゴトク１‘は、どちらも板材１ａ,１ｂ,１ｃからなる。すなわち、板材の組立方向を変えて、ゴトクの形状を変えることにより、使用する燃焼物あるいは燃焼装置に最適な燃焼室の形状を選択可能である。
【０００９】
図３は本発明の第１の実施形態に係るゴトク１およびゴトク１‘を形成する、長方形状の板材１aを示す図である。板材１ａ,１ｂ,１ｃの諸元は互いに共通しているので、板材１aについてのみ説明し、板材１ｂ,１ｃについての説明は省略する。
板材１aは長方形をなしている。板材１aの一方の長辺１２a上にかぎ状の突起からなる１つもしくは複数の間隔を空けて配置された長辺連結係止部９a,１０a、もう一方の長辺端部１３aの近傍に長辺１３aに並行したスリット穴からなる長辺連結係止部９a,１０aと同数の長辺連結係合部１４a,１５aを、長辺連結係止部９a,１０aのかぎ状の凹部端面と、長辺連結係合部１４a,１５aのスリット穴の下端面とが長辺方向に同じ位置になるように配置することにより、各板材１ａ,１ｂ,１ｃを互いに組み立てた際に、ゴトク１上部の載置面４ならびに、下部の支持脚体４２が平面状に形成される。
長辺連結係合部１４a,１５aのスリット穴の幅は、長辺連結係止部９a,１０aを隣り合う板材同士に角度を設けた状態でも挿入できるような幅となっている。また、長辺連結係合部１４a,１５aのスリット穴の長さは、長辺連結係止部９a,１０aのかぎ状の突起が挿入可能な長さとなっている。
更に板材１aの一方の短辺１６aに同じくかぎ状の突起からなる１つもしくは複数の間隔を空けて配置された短辺連結係止部１８a,１９a、もう一方の短辺１７aの近傍に短辺１７aに並行したスリット穴からなる短辺連結係止部１８a,１９aと同数の短辺連結係合部２０a,２１aを、短辺連結係止部１８a,１９aのかぎ状の凹部端面と、長辺連結係合部短辺連結係合部２０a,２１aのスリット穴の左端面とが短辺方向に同じ位置になるように配置することにより、各板材１ａ,１ｂ,１ｃを互いに組み立てた際に、ゴトク１‘上部の載置面１１ならびに、下部の支持脚体４５が平面状に形成される。
短辺連結係合部２０a,２１aのスリット穴の幅は、短辺連結係止部１８a,１９aを隣り合う板材同士に角度を設けた状態でも挿入できるような幅となっている。また、短辺連結係合部２０a,２１aのスリット穴の長さは、短辺連結係止部１８a,１９aのかぎ状の突起が挿入可能な長さとなっている。
【００１０】
連結係止部側の長辺１２aと長辺連結係合部１４a,１５aまでの短辺方向の距離は連結係止部側の長辺１２aと、もう一方の長辺１３aとの距離より小さい範囲で任意であり、この距離が大きいと、長辺同士を組み立てた状態でゴトク１の三角筒の断面積、つまりは燃焼室１６の断面積が大きくなるため、燃焼室１６により多くの燃焼物、あるいはより大きな燃焼装置を入れることができる。反対にこの距離が小さいと、組立状態のゴトク１の内部の燃焼室１６に入れることができる燃焼物が少なく、あるいは入れることができる燃焼装置が小さくなるが、長辺１２aと、もう一方の長辺１３aとの距離を小さくできる。
連結係止部側の短辺１６aと短辺連結係合部２０a,２１aまでの長辺方向の距離は連結係止部側の短辺１６aと、もう一方の短辺１７aとの距離より小さい範囲で任意であり、この距離が大きいと、短辺同士を組み立てた状態でゴトク１‘の三角筒の断面積、つまりは燃焼室４６の断面積が大きくなるため、燃焼室４６により多くの燃焼物、あるいはより大きな燃焼装置を入れることができる。反対にこの距離が小さいと、組立状態のゴトク１’の内部の燃焼室４６に入れることができる燃焼物が少なく、あるいは入れることができる燃焼装置が小さくなるが、短辺１６aと、もう一方の短辺１７aとの距離を小さくできる。
長辺１２a及び１３aの長さは、短辺１６aから短辺連結係合部２０a、２１aまでの長辺方向の距離よりも大きい範囲で任意である。この長さが長いと、長辺同士を連結させた組立状態であるゴトク１の三角形筒の高さが高くなり、燃焼物を燃焼させた際に、より大きな煙突効果を得られる。更に、短辺同士を組み立てたゴトク１‘の載置面１１を形成する辺が長くなるため、加熱調理器具の載置が安定する。反対にこの長さが短いと板材の面積を小さくでき、重量を軽くすることができる。
短辺１６a及び１７aの長さは、長辺１２aと長辺連結係合部１４a、１５aまでの短辺方向の距離よりも大きい範囲で任意である。この長さが長いと、短辺同士を連結させた組立状態であるゴトク１‘の三角形筒の高さが高くなり、燃焼物を燃焼させた際に、より大きな煙突効果を得られる。更に、長辺同士を組み立てたゴトク１の載置面４を形成する辺が長くなるため、加熱調理器具の載置が安定する。反対にこの長さが短いと板材の面積を小さくでき、重量を軽くすることができる。
板材１aのもう一方の長辺１３a 及びもう一方の短辺端部１７aには加熱対象の載置を安定させるため複数の切り欠きからなる掛止部２２aを有する。
【００１１】
長方形状の板材１aの各角部付近には燃焼時の吸気及び排気を円滑に行うために、少なくとも一つ以上の吸排気開口部５a、６a、７a、８aが設けられており、吸排気開口部５a、６a、７a、８a以外の部分は風防部２３aとなる。吸排気開口部５a、６a、７a、８aの面積が大きいと、燃焼時の空気の取り込みと燃焼炎の排気が滞りなく行われるが、防風部２３aの面積が狭くなるため、風が強い環境下では燃焼が安定しない。また、煙突効果も低下する。
互いに共通の前記諸元を有した３つの板材１ａ,１ｂ,１ｃを、一方の長辺と他方の長辺同士が沿うように組み立てると、正三角を断面とする三角筒状となる。
各板材１ａ,１ｂ,１ｃの各長辺連結係止部９a，９b，９c，１０a，１０b，１０cを、組立状態で隣接する他の板材１ａ,１ｂ,１ｃの長辺連結係合部１４a，１４b，１４c，１５a，１５b，１５cと嵌合することにより３つの板材１ａ,１ｂ,１ｃ同士が結合される。これにより、３つの板材１ａ,１ｂ,１ｃが互いに固定され、ゴトク１が高い剛性を有するようになる。
図１では板材１ｃの各長辺連結係止部９ｃ，１０ｃを、隣り合う板材１ａの長辺連結係合部１４ａ,１５aにそれぞれ嵌合させている。
このとき、長辺連結係止部９ｃ，１０ｃはかぎ形状を有しており、板材１ａの長辺連結係合部１４ａ,１５aに挿入後、長辺方向へ平行移動させることにより、かぎ形状をスリット状の長辺連結係合部１４ａ,１５aの端面に懸架することにより嵌合させる。
さらに、板材１ｂの各長辺連結係止部９b，１０bを、隣り合う板材１ｃの長辺連結係合部１４c,１５cにそれぞれ嵌合させ、かつ板材１ａの各長辺連結係止部９a，１０aを、隣り合う板材１bの長辺連結係合部１４b，１５bにそれぞれ嵌合させることにより、３つの板材１ａ,１ｂ,１ｃ同士が結合され、３つの板材１ａ,１ｂ,１ｃが互いに固定される。これにより、ゴトク１が正三角形を断面とする三角筒状の組立形状となる。
上記と同様に互いに共通の前記諸元を有した３つの板材１ａ,１ｂ,１ｃを、一方の短辺と他方の短辺同士が沿うように組み立てた場合でも、正三角を断面とする三角筒状となる。嵌合方法に関しては長辺同士の勘合と同様のため説明を省略する。
【００１２】
図１に示す１つめの使用形態では、長辺連結係止部１４a，１５aと隣り合う板材の長辺連結係合部９c,１０cというようにそれぞれの板材を組み付ける。  短辺連結係止部１８a，１８b，１８c，１９a, １９b, １９c,は組立てられたゴトク１の支持脚体４２となり、また、短辺端部１７a, １７b, １７cが加熱調理容器などの加熱対象を載置する載置面４を形成する。吸排気開口部の内、５a, ５b, ５c,及び６a, ６b, ６c,が吸気口となり、７a, ７b, ７c,及び８a, ８b, ８c,が排気口となる。
図２に示す２つめの使用形態では、短辺連結係止部１８a，１９aと隣り合う板材の短辺連結係合部２０c,２１cというようにそれぞれの板材を組み付ける。  長辺連結係止部１４a，１４b，１４c，１５a，１５b，１５c，は組立てられたゴトク１‘の支持脚体となり、また、長辺端部１３a, １３b, １３cが加熱調理容器などの加熱対象を載置する載置面１１を形成する。吸排気開口部の内、６a, ６b, ６c,及び８a, ８b, ８c,が吸気口となり、５a, ５b, ５c,及び７a, ７b, ７cが排気口となる。
以上により、この実施形態によれば、板材の組立方向を変えることにより、長辺を高さとした多角形筒の場合には煙突効果による効率的な燃焼と、短辺を高さとした多角形筒の場合にはアルコールストーブ等の燃焼装置や固形燃料の使用で十分な加熱効率が得られるような、燃焼物から加熱対象載置面までの距離となるゴトクを提供できる。
【００１３】
図４は、本発明の第２の実施形態に係るゴトク２４を形成する、長方形状の板材の板材２４aを示す図である。また、図５は本発明の第２の実施形態に係るゴトク２４の使用形態を表す斜視図である。
図４及び図５において、第１の実施形態に示された各部に対応する部分には、前述の図１〜３の場合と同一の参照符号を付して示し、説明を省略する。
また、板材２４ａ,２４ｂ,２４ｃの諸元は互いに共通しているので、板材２４aについてのみ説明し、板材２４ｂ,２４ｃについての説明は省略する。
図４に示すゴトク２４を形成する板材２４aが、図３に示す板材１aと相違する点は、短辺連結係止部１８a，１９aと短辺連結係合部２０a、２１aとの間に１列もしくは複数列の短編連結係合部４７a、４８aを設けている点である。図５に示す通り、組立られたゴトク２４を形成する三角筒の断面積は図２に示すゴトク１‘よりも小さくなるため、より小さい加熱調理容器を載置可能となる。また、燃焼室４９の容積がゴトク１’よりも小さくなるため、アルコールストーブなどを燃焼室内で使用した場合、効率よく加熱対象を加熱することができる。
つまり、複数列の短編連結係合部を設けることにより、使用する燃焼物あるいは燃焼装置、また加熱調理容器に合わせて、組立られたゴトク２４の三角形筒の断面形状を最適に調整可能である。
【００１４】
図６及び図７において、第１の実施形態ならびに第２の実施形態に示された各部に対応する部分には、前述の図１〜５の場合と同一の参照符号を付して示し、説明を省略する。
また、板材２５ａ,２５ｂ,２５ｃの諸元は互いに共通しているので、板材２５aについてのみ説明し、板材２５ｂ,２５ｃについての説明は省略する。
図６に示すゴトク２５を形成する板材２５aが、図３に示す板材１aならびに図４に示す板材２４aと相違する点は、
２つの短辺連結係止部２６aと２７aの距離、および２つの短辺連結係合部２８aと２９aの距離と、等間隔に３つ配置された長辺連結係止部３０a，３１a，３２aおよび長辺連結係合部３３a，３４a，３５a の配置間隔が同等の寸法を有して設けられており、更に、短辺連結係合部３８a，３９aが、短辺３７aと短辺連結係合部２８a，２９aとの間に設けられている点である。
これにより、短編と長辺の嵌合が可能となる。図７に示す使用形態でのゴトク２５では、板材２５aの短編連結系止部２６a、２７aが、板材２５ｂの３つの長辺連結係合部のうち、３３bと３４bにそれぞれ嵌合され、板材、２５cの３つの長辺連結係止部のうち３０cと３１cが、板材２５aの短辺連結係合部３８aと３９aにそれぞれ嵌合されている。板材２５bと板材２５cの嵌合に関しては、実施形態１と同一のため、説明は省略する。
この組み合わせでは、載置部５０は板材２５bと２５cの短編１７bと１７cにより形成される。ゴトク２５のうち三つの板材で囲まれた部分は下部半分のみとなり、加熱対象物を載置部５２に載置したまま、ゴトク２５の側面に空いた燃焼物投入口５１から燃焼室５３へ燃焼物を投入することができる。
更に、長辺３６aから長辺連結係合部３３a，３４a，３５aまでの短辺方向の距離が、短辺３７aから短辺連結係合部３８a，３９aまでの長辺方向の距離と同等の寸法を有するように、短辺連結係合部３８a，３９aを設けた場合には、図７に示す使用形態でのゴトク２５の燃焼室が正三角形となり、設置の安定性が高くなる。
【符号の説明】
【００１５】
１    ゴトク
１‘    ゴトク
１a    板材
１b    板材
１c    板材
２    風防
４    載置面
５a    吸排気開口部
５b    吸排気開口部
５c    吸排気開口部
６a    吸排気開口部
６b    吸排気開口部
６c    吸排気開口部
７a    吸排気開口部
７b    吸排気開口部
７c    吸排気開口部
８a    吸排気開口部
８b    吸排気開口部
８c    吸排気開口部
９a    長辺連結係止部
９b    長辺連結係止部
９c    長辺連結係止部
１０a    長辺連結係止部
１０b    長辺連結係止部
１０c    長辺連結係止部
１１    載置面
１２a    長辺
１３a    長辺
１３b    長辺
１３c    長辺
１４a    長辺連結係合部
１４b    長辺連結係合部
１４c    長辺連結係合部
１５a    長辺連結係合部
１５b    長辺連結係合部
１５c    長辺連結係合部
１６a    短辺
１７a    短辺
１７b    短辺
１７c    短辺
１８a    短辺連結係止部
１８b    短辺連結係止部
１８c    短辺連結係止部
１９a    短辺連結係止部
１９b    短辺連結係止部
１９c    短辺連結係止部
２０a    短辺連結係合部
２０b    短辺連結係合部
２０c    短辺連結係合部
２１a    短辺連結係合部
２１b    短辺連結係合部
２１c    短辺連結係合部
２２a    掛止部
２３a    風防部
２４    ゴトク
２４a    板材
２４b    板材
２４c    板材
２５    ゴトク
２５a    板材
２５b    板材
２５c    板材
２６a    短辺連結係止部
２７a    短辺連結係止部
２８a    短辺連結係合部
２９a    短辺連結係合部
３０a    長辺連結係止部
３０b    長辺連結係止部
３０c    長辺連結係止部
３１a    長辺連結係止部
３１b    長辺連結係止部
３１c    長辺連結係止部
３２a    長辺連結係止部
３２b    長辺連結係止部
３２c    長辺連結係止部
３３a    長辺連結係合部
３３b    長辺連結係合部
３３c    長辺連結係合部
３４a    長辺連結係合部
３４b    長辺連結係合部
３４c    長辺連結係合部
３５a    長辺連結係合部
３５b    長辺連結係合部
３５c    長辺連結係合部
３６a    長辺
３７a    短辺
３８a    短辺連結係合部
３９a    短辺連結係合部
４０    吸気口
４１    排気口
４２    支持脚体
４３    吸気口
４４    排気口
４５    支持脚体
４６    燃焼室
４７a    短編連結係合部
４８a    短編連結係合部
４９    燃焼室
５０    燃焼室
５１    燃焼物投入口
５２    載置部
５３    燃焼室
【図１】
2018179345.tif 000003
【図２】
2018179345.tif 000004
【図３】
2018179345.tif 000005
【図４】
2018179345.tif 000006
【図５】
2018179345.tif 000007
【図６】
2018179345.tif 000008
【図７】
2018179345.tif 000009